(57)【要約】【課題】番組で紹介された場所に関する情報を登録したユーザに対して、自分が過去に登録した情報の存在を思い出させることができる、番組情報案内装置、番組情報案内方法、及び番組情報案内プログラムを提供すること。【解決手段】番組情報案内装置１は、番組情報を取得する番組情報取得部６１と、番組情報取得部６１によって取得された番組情報の中で、ユーザにより登録すると指定された番組情報を登録番組情報として格納する番組情報ＤＢ７２と、視聴中の番組について番組情報取得部６１によって取得された番組情報に基づき、番組情報ＤＢ７２に格納されている登録番組情報を選択し、当該選択した登録番組情報を案内するための制御を行う案内制御部６２とを備える。【選択図】図１
2011199663.tif 000002
【特許請求の範囲】
【請求項１】
番組情報を取得する番組情報取得手段と、
前記番組情報取得手段によって取得された番組情報の中で、ユーザにより登録すると指定された番組情報を登録番組情報として格納する番組情報格納手段と、
視聴中の番組について前記番組情報取得手段によって取得された番組情報に基づき、前記番組情報格納手段に格納されている登録番組情報を選択し、当該選択した登録番組情報を案内するための制御を行う制御手段と、
を備える番組情報案内装置。
【請求項２】
前記制御手段は、
前記番組情報取得手段によって取得された番組情報に基づいて前記視聴中の番組の属性を特定し、
前記番組情報格納手段に格納されている登録番組情報に基づいて当該登録番組情報の属性を特定し、
特定した前記視聴中の番組の属性と前記登録番組情報の属性とに基づき、前記番組情報格納手段に格納されている登録番組情報を選択する、
請求項１に記載の番組情報案内装置。
【請求項３】
前記番組の属性及び前記登録番組情報の属性は、番組のジャンル、番組名、番組の出演者名、番組の放送時期、又は番組に含まれる場所のジャンル、の少なくともいずれか１つである、
請求項２に記載の番組情報案内装置。
【請求項４】
前記制御手段は、
前記番組情報格納手段に格納されてから閾値以上の時間が経過している前記登録番組情報のみを対象として選択する、
請求項１から３のいずれか一項に記載の番組情報案内装置。
【請求項５】
番組情報を取得する番組情報取得ステップと、
前記番組情報取得ステップで取得された番組情報の中で、ユーザにより登録すると指定された番組情報を登録番組情報として記憶手段に格納する番組情報格納ステップと、
視聴中の番組について前記番組情報取得ステップで取得された番組情報に基づき、前記番組情報格納ステップで前記記憶手段に格納された登録番組情報を選択し、当該選択した登録番組情報を案内するための制御を行う制御ステップと、
を含む番組情報案内方法。
【請求項６】
請求項５に記載の方法をコンピュータに実行させる番組情報案内プログラム。
【発明の詳細な説明】
【技術分野】
【０００１】
本発明は、番組情報案内装置、番組情報案内方法、及び番組情報案内プログラムに関する。
【背景技術】
【０００２】
従来、デジタル放送に含まれている位置情報をユーザが登録しておき、この登録された位置情報を後から呼び出してユーザに案内するシステムが提案されている。このようなシステムとして、例えば、特許文献１には、ユーザがデジタル放送の番組を視聴中に、当該番組で放送されている旅行先に興味を持った場合において、ユーザがこの旅行先の記録をテレビ端末に指示すると、デジタル放送から当該旅行先の情報を記録し、後日、ユーザがドライブに行く時には、記録した旅行先情報を取得して経路設定等を行うことができるシステムが開示されている。
【先行技術文献】
【特許文献】
【０００３】
【特許文献１】特開２００４−２９００６号公報
【発明の概要】
【発明が解決しようとする課題】
【０００４】
しかし、特許文献１の如き従来のシステムでは、ユーザが興味を持った旅行先の旅行先情報を登録した後、その登録からある程度の日数が経過した場合や、その登録数がさらに増えた場合には、ユーザがその旅行先を過去に登録したこと自体を忘れてしまったり、登録したこと自体は覚えていてもその内容を忘れてしまっているために、登録した情報を適切に呼び出すことができず、せっかく登録した旅行先情報を有効に活用することができない場合があった。
【０００５】
本発明は、上記に鑑みてなされたものであって、番組で紹介された場所に関する情報を登録したユーザに対して、自分が過去に登録した情報の存在を思い出させることができる、番組情報案内装置、番組情報案内方法、及び番組情報案内プログラムを提供することを目的とする。
【課題を解決するための手段】
【０００６】
上述した課題を解決し、目的を達成するために、請求項１に記載の番組情報案内装置は、番組情報を取得する番組情報取得手段と、前記番組情報取得手段によって取得された番組情報の中で、ユーザにより登録すると指定された番組情報を登録番組情報として格納する番組情報格納手段と、視聴中の番組について前記番組情報取得手段によって取得された番組情報に基づき、前記番組情報格納手段に格納されている登録番組情報を選択し、当該選択した登録番組情報を案内するための制御を行う制御手段とを備える。
【０００７】
また、請求項２に記載の番組情報案内装置は、請求項１に記載の番組情報案内装置において、前記制御手段は、前記番組情報取得手段によって取得された番組情報に基づいて前記視聴中の番組の属性を特定し、前記番組情報格納手段に格納されている登録番組情報に基づいて当該登録番組情報の属性を特定し、特定した前記視聴中の番組の属性と前記登録番組情報の属性とに基づき、前記番組情報格納手段に格納されている登録番組情報を選択する。
【０００８】
また、請求項３に記載の番組情報案内装置は、請求項２に記載の番組情報案内装置において、前記番組の属性及び前記登録番組情報の属性は、番組のジャンル、番組名、番組の出演者名、番組の放送時期、又は番組に含まれる場所のジャンル、の少なくともいずれか１つである。
【０００９】
また、請求項４に記載の番組情報案内装置は、請求項１から３のいずれか一項に記載の番組情報案内装置において、前記制御手段は、前記番組情報格納手段に格納されてから閾値以上の時間が経過している前記登録番組情報のみを対象として選択する。
【００１０】
また、請求項５に記載の番組情報案内方法は、番組情報を取得する番組情報取得ステップと、前記番組情報取得ステップで取得された番組情報の中で、ユーザにより登録すると指定された番組情報を登録番組情報として記憶手段に格納する番組情報格納ステップと、視聴中の番組について前記番組情報取得ステップで取得された番組情報に基づき、前記番組情報格納ステップで前記記憶手段に格納された登録番組情報を選択し、当該選択した登録番組情報を案内するための制御を行う制御ステップとを含む。
【００１１】
また、請求項６に記載の番組情報案内プログラムは、請求項５に記載の方法をコンピュータに実行させる。
【発明の効果】
【００１２】
請求項１に記載の番組情報案内装置、請求項５に記載の番組情報案内方法、又は請求項６に記載の番組情報案内プログラムによれば、視聴中の番組について番組情報取得手段によって取得された番組情報に基づき、番組情報格納手段に格納されている登録番組情報を選択し、当該選択した登録番組情報を案内するための制御を行うので、視聴中の番組と関連性の高い登録番組情報を案内することができる。このことにより、番組で紹介された場所に関する情報を登録したユーザに対して、自分が過去に登録した情報の存在を思い出させることができる。
【００１３】
請求項２に記載の番組情報案内装置によれば、特定した視聴中の番組の属性と登録番組情報の属性とに基づき、番組情報格納手段に格納されている登録番組情報を選択するので、視聴中の番組と関連性の高い登録番組情報を確実に選択することができ、ユーザにとって有用な情報を案内することができる。
【００１４】
請求項３に記載の番組情報案内装置によれば、番組の属性及び登録番組情報の属性は、番組のジャンル、番組名、番組の出演者名、番組の放送時期、又は番組に含まれる場所のジャンル、の少なくともいずれか１つであるので、視聴中の番組と特に関連性が高くユーザにとって有用な登録番組情報を確実に選択し、案内することができる。
【００１５】
請求項４に記載の番組情報案内装置によれば、番組情報格納手段に格納されてから閾値以上の時間が経過している登録番組情報のみを対象として選択するので、ユーザが視聴してからの経過時間が少なく、ユーザ自身が覚えている登録番組情報については案内の対象から除外することができる。従って、ユーザにとって煩雑ではないタイミングで登録番組情報を案内することができる。
【図面の簡単な説明】
【００１６】
【図１】実施の形態に係る番組情報案内装置を例示するブロック図である。
【図２】番組情報ＤＢに格納されている情報を例示した表である。
【図３】番組情報登録処理のフローチャートである。
【図４】案内制御処理のフローチャートである。
【図５】案内情報が表示されたディスプレイを例示した図である。
【発明を実施するための形態】
【００１７】
以下、本発明に係る番組情報案内装置、番組情報案内方法、及び番組情報案内プログラムの実施の形態について図面を参照しつつ詳細に説明する。ただし、この実施の形態によって本発明が限定されるものではない。
【００１８】
（構成）
まず、実施の形態に係る番組情報案内装置の構成を説明する。図１は、実施の形態に係る番組情報案内装置を例示するブロック図である。この番組情報案内装置１は、操作部１０、番組受信部２０、通信部３０、スピーカ４０、ディスプレイ５０、制御部６０、及びデータ記録部７０を備えている。
【００１９】
（構成−操作部）
操作部１０は、ユーザによる操作入力を受け付ける操作手段である。この操作部１０の具体的な構成は任意であり、例えば、ディスプレイ５０の前面に設けたタッチパネル、押しボタン、リモートコントローラの如き遠隔操作手段、あるいは、音声入力を受け付けるマイクの如き音声認識手段を用いて操作部１０を構成することができる。
【００２０】
（構成−番組受信部）
番組受信部２０は、番組を受信する番組受信手段である。ここで、「番組」とは、ＴＶ番組やラジオ番組を含むものであるが、これらに限定されず任意の放送形態による番組を含む。また、「番組」は、放送局から放送された番組（以下、「一次番組」）と、一次番組を中継や録画再生する機器から出力された番組（以下、「二次番組」）を含む。本実施の形態においては、番組受信部２０は、一次番組を取得するためのアンテナ及びチューナーを有する放送受信手段として構成されているが、二次番組を外部機器から受信するための受信用のインターフェースとして構成されてもよい。
【００２１】
この「番組」に関する情報を、ここでは「番組情報」と称する。この番組情報は、「番組本体情報」と「番組付随情報」を含む。「番組本体情報」とは、番組本体を構成する情報であって、例えば、番組がＴＶ番組である場合には、当該ＴＶ番組を構成する音声情報や映像情報が該当し、番組がラジオ番組である場合には、当該ラジオ番組を構成する音声情報が該当する。また、「番組付随情報」とは、番組に付随する情報であって、例えば、番組が地上デジタル放送やＢＳデジタル放送によるデジタルＴＶ番組である場合には、文字データ放送等を行うための文字情報、デジタル信号にパケットとして挿入されるＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）、あるいは、番組放送に伴い付随的に配信される情報（メタ情報）が該当する。ＳＩには、例えば、電子番組表（ＥＰＧ：Ｅｌｅｃｔｒｏｎｉｃ  Ｐｒｏｇｒａｍ  Ｇｕｉｄｅ）を作成する元データとなり得るＥＩＴ（Ｅｖｅｎｔ  Ｉｎｆｏｒｍａｔｉｏｎ  Ｔａｂｌｅ）が含まれる。ここで、番組付随情報には、例えば、番組で紹介される場所（ＰＯＩ：Ｐｏｉｎｔ  Ｏｆ  Ｉｎｔｅｒｅｓｔ）を一意に識別する「ＰＯＩ  ＩＤ」、「ＰＯＩ名称」、「住所（ここでは、ＰＯＩの位置を特定するための情報）」、「ＰＯＩジャンル」、「番組名」、「番組ジャンル」、「放送局名称（ここでは、番組の放送局を特定するための情報）」、「放送時期（ここでは、番組の放送日を特定するための情報）」、「出演者名」等が含まれる。
【００２２】
（構成−通信部）
通信部３０は、外部の通信装置（例えば、既知のコンピュータ、移動体通信端末、あるいは、カー番組情報案内サービスを統括する統括センター）との間で、各種情報を通信するための通信手段であり、公知の無線通信装置を用いることができる。
【００２３】
（構成−スピーカ）
スピーカ４０は、制御部６０の制御に基づいて各種の音声を出力する出力手段である。スピーカ４０より出力される音声の具体的な態様は任意であり、必要に応じて生成された合成音声や、予め録音された音声を出力することができる。
【００２４】
（構成−ディスプレイ）
ディスプレイ５０は、制御部６０の制御に基づいて各種の画像を表示する表示手段である。なお、このディスプレイ５０の具体的な構成は任意であり、公知の液晶ディスプレイや有機ＥＬディスプレイの如きフラットパネルディスプレイを使用することができる。
【００２５】
（構成−制御部）
制御部６０は、番組情報案内装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る番組情報案内プログラムは、任意の記録媒体又はネットワークを介して番組情報案内装置１にインストールされることで、制御部６０の各部を実質的に構成する。
【００２６】
この制御部６０は、機能概念的に、番組情報取得部６１、及び案内制御部６２を備えている。番組情報取得部６１は、１又は２以上の番組付随情報を含む番組情報を取得する番組情報取得手段である。案内制御部６２は、登録番組情報を案内するための制御を行う制御手段である。ここで「登録番組情報」とは、番組情報取得部６１によって取得された番組情報の中で、ユーザにより登録すると指定された番組情報を意味する。これらの制御部６０の各構成要素によって実行される処理の詳細については後述する。
【００２７】
（構成−データ記録部）
データ記録部７０は、番組情報案内装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２８】
このデータ記録部７０は、地図情報データベース（以下、データベースを「ＤＢ」と称する）７１、及び番組情報ＤＢ７２を備えている。
【００２９】
地図情報ＤＢ７１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、自宅、駐車場、コンビニ、ガソリンスタンド、レストラン、レジャー施設等の施設を案内するための施設データ（各施設の位置、各施設の種別、及び各施設を示すアイコンの描画情報を相互に関連付けた情報を含む）、地形データ、地図をディスプレイ５０に表示するための地図表示データ等を含んで構成されている。
【００３０】
番組情報ＤＢ７２は、番組情報取得部６１によって取得された番組情報の中で、ユーザにより登録すると指定された番組情報を登録番組情報として格納する番組情報格納手段である。図２は番組情報ＤＢ７２に格納されている情報を例示した表である。図２に示すように、番組情報ＤＢ７２には、項目「ＰＯＩ  ＩＤ」、「ＰＯＩ名称」、「住所」、「ＰＯＩジャンル」、「番組名」、「番組ジャンル」、「放送局名称」、「登録日」、「放送時期」、及び「出演者名」に対応する情報が相互に関連付けて格納されている。項目「ＰＯＩ  ＩＤ」に対応して格納される情報は、ＰＯＩを一意に識別するための識別情報である。項目「ＰＯＩ名称」に対応して格納される情報は、ＰＯＩの名称を示す情報である。項目「住所」に対応して格納される情報は、ＰＯＩの位置を特定する情報であり、例えば住所情報が格納される。また、住所情報に代えてＰＯＩの座標情報を格納してもよい。項目「ＰＯＩジャンル」に対応して格納される情報は、ＰＯＩのジャンルを特定する情報であり、例えば図２に示すように「グルメ」、「レジャー」、「ニュース」等が格納される。項目「番組名」に対応して格納される情報は、ＰＯＩが紹介された番組の名称を示す情報である。項目「番組ジャンル」に対応して格納される情報は、ＰＯＩが紹介された番組のジャンルを特定する情報である。本実施の形態では、上述の「ＰＯＩジャンル」と「番組ジャンル」とは共通のジャンル名を用いて分類されているが、それぞれ異なるジャンル名を用いて分類してもよい。項目「放送局名称」に対応して格納される情報は、ＰＯＩが紹介された番組の放送局を示す情報である。項目「登録日」に対応して格納される情報は、ユーザによってＰＯＩが番組情報ＤＢ７２に登録された日時を示す情報である。項目「放送時期」に対応して格納される情報は、ＰＯＩが紹介された番組が放送された時期を示す情報であり、例えば、番組が放送された月、番組が放送された季節、又は番組が放送された長期連休である。図２では、番組が放送された月を格納する例を示しており、番組放送日が「２００９年８月１日」である場合には、番組が放送された月は「８月」と特定され格納される。また、番組が放送された季節を格納する場合や、番組が放送された長期連休を格納する場合、例えば、データ記録部７０には図示しない時期テーブルが格納されており、この時期テーブルは、日付と、当該番組が放送された日に対応する季節及び長期連休とを、相互に対応付けて構成されていて（日付＝５月５日に対して、季節＝春、長期連休＝ゴールデンウィーク等）、この時期テーブルを参照して、番組放送日に対応する季節や長期連休が特定され格納される。項目「出演者名」に対応して格納される情報は、ＰＯＩが紹介された番組の出演者を示す情報である。
【００３１】
（処理）
次に、このように構成された番組情報案内装置１によって実行される処理について説明する。この処理は、番組情報登録処理、及び案内制御処理に大別される。なお、特記しない制御に関しては、番組情報案内装置１の制御部６０が行うこととする。
【００３２】
（処理−番組情報登録処理）
最初に、番組情報登録処理について説明する。図３は番組情報登録処理のフローチャートである（以下の各処理の説明ではステップを「Ｓ」と略記する）。この番組情報登録処理は、ユーザにより登録すると指定された番組情報を登録番組情報として番組情報ＤＢ７２に格納する処理であり、例えば操作部１０を介した指示入力に基づき番組受信部２０により番組の受信が開始され、ディスプレイ５０やスピーカ４０を介して番組の出力が開始された場合に、所定周期にて繰り返し起動される。
【００３３】
番組情報登録処理が開始されると、番組情報取得部６１は番組受信部２０によって受信された番組の番組付随情報を取得し（ＳＡ１）、その番組付随情報にＰＯＩに関する情報が含まれているか否かを判定する（ＳＡ２）。ここで、「ＰＯＩに関する情報」には、例えば「ＰＯＩ  ＩＤ」、「ＰＯＩ名称」、「住所」、「ＰＯＩジャンル」、「番組名」、「番組ジャンル」、「放送局名称」、「放送時期」、「出演者名」が含まれるものとする。
【００３４】
その結果、ＰＯＩに関する情報が含まれていない場合（ＳＡ２、Ｎｏ）、当該番組は番組情報の登録の対象外であるものとし、制御部６０は番組情報登録処理を終了する。
【００３５】
一方、番組付随情報にＰＯＩに関する情報が含まれている場合（ＳＡ２、Ｙｅｓ）、制御部６０は、その番組付随情報がユーザにより登録すると指定されたか否かを判定する（ＳＡ３）。例えば、番組を出力中のディスプレイ５０に登録ボタンを重畳表示させ、ユーザによって登録ボタンが押された場合には、その番組の番組付随情報がユーザにより登録すると指定されたと判定する。あるいは、その番組付随情報がユーザにより予め設定されている条件を満たしている場合に（例えば、ユーザにより予め設定されているタレントの名前が、その番組付随情報の「出演者名」に含まれている場合等）、その番組の番組付随情報がユーザにより登録すると指定されたと判定する。
【００３６】
その結果、番組付随情報がユーザにより登録すると指定されていない場合（ＳＡ３、Ｎｏ）、当該番組付随情報を登録する必要がないものとし、制御部６０は番組情報登録処理を終了する。
【００３７】
一方、番組付随情報がユーザにより登録すると指定された場合（ＳＡ３、Ｙｅｓ）、制御部６０はその番組付随情報を登録番組情報として番組情報ＤＢ７２に格納する（ＳＡ４）。その後、制御部６０は番組情報登録処理を終了する。
【００３８】
（処理−案内制御処理）
次に、案内制御処理について説明する。図４は案内制御処理のフローチャートである。この案内制御処理は、登録番組情報を案内する処理であり、例えば操作部１０を介した指示入力に基づき番組受信部２０により番組の受信が開始され、ディスプレイ５０やスピーカ４０を介して番組の出力が開始された場合に、所定周期にて繰り返し起動される。
【００３９】
案内制御処理が開始されると、番組情報取得部６１は番組受信部２０によって受信された番組の番組付随情報を取得する（ＳＢ１）。続いて案内制御部６２は、番組情報取得部６１によって取得された番組付随情報に基づいて視聴中の番組の属性を特定する（ＳＢ２）。ここで番組の属性とは、「番組ジャンル」、「番組名」、「出演者名」、「放送時期」、又は「ＰＯＩジャンル（番組に含まれる場所のジャンル）」の少なくともいずれか１つである。
【００４０】
次に、案内制御部６２は番組情報ＤＢ７２を参照し、ＳＢ２で特定した属性と共通の属性を有する登録番組情報が番組情報ＤＢ７２に格納されているか否かを判定する（ＳＢ３）。ここで、登録番組情報の属性とは、登録番組情報に対応する番組の「番組ジャンル」、「番組名」、「出演者名」、「放送時期」、又は「ＰＯＩジャンル（番組に含まれる場所のジャンル）」の少なくともいずれか１つである。
【００４１】
例えば視聴中の番組の属性が、「番組ジャンル」が「グルメ」、「番組名」が「×××」、「出演者名」が「ＸＸ  ＸＸ、○○  ○○」、「放送時期」が「８月」であった場合、図２の例では、この番組の属性と共通の属性を有する登録番組情報として、「ＰＯＩ  ＩＤ」が「ＰＯＩ０００１」、「ＰＯＩ０００２」、「ＰＯＩ０００３」、及び「ＰＯＩ０００４」の登録番組情報が特定される。
【００４２】
ＳＢ３の結果、ＳＢ２で特定した視聴中の番組の属性と共通の属性を有する登録番組情報が番組情報ＤＢ７２に格納されていない場合（ＳＢ３、Ｎｏ）、案内すべき登録番組情報がないものとし、案内制御部６２は案内制御処理を終了する。
【００４３】
一方、視聴中の番組の属性と共通の属性を有する登録番組情報が番組情報ＤＢ７２に格納されている場合（ＳＢ３、Ｙｅｓ）、その登録番組情報の中で、ユーザの登録により番組情報ＤＢ７２に格納されてから閾値以上の日数が経過している登録番組情報があるか否かを判定する（ＳＢ４）。ユーザの登録により番組情報ＤＢ７２に格納されてからの経過日数の特定方法は任意で、例えば登録番組情報に含まれる「登録日」から現在までの日数を経過日数とする。この閾値としては、ユーザが登録番組情報を登録してから、自分が登録番組情報を登録したこと自体を忘れる可能性がある日数であって、当該日数が経過した後に登録番組情報をユーザに案内することで、ユーザに当該登録番組情報を登録したことを思い出させるために有効な日数が設定され、例えば、６カ月が設定される。ここでは日数単位での判定を行っているが、時間単位での判定を行うようにしてもよく、この場合には、例えば、登録番組情報にはＰＯＩの登録日時を格納しておき、この登録日時から現在日時までの時間を経過時間として、閾値以上の時間が経過しているか否かを判定してもよい。
【００４４】
その結果、ユーザの登録により番組情報ＤＢ７２に格納されてから閾値以上の日数が経過している登録番組情報がない場合（ＳＢ４、Ｎｏ）、登録番組情報を案内するタイミングではないものとし、案内制御部６２は案内制御処理を終了する。
【００４５】
一方、ユーザの登録により番組情報ＤＢ７２に格納されてから閾値以上の日数が経過している登録番組情報がある場合（ＳＢ４、Ｙｅｓ）、案内制御部６２は、ユーザの登録により番組情報ＤＢ７２に格納されてから閾値以上の日数が経過している登録番組情報の中から、その登録番組情報の属性と視聴中の番組の属性とに基づき、所定の登録番組情報を選択する（ＳＢ５）。
【００４６】
登録番組情報の選択基準は任意で、例えば、視聴中の番組の属性と共通の属性を有し、且つユーザの登録により番組情報ＤＢ７２に格納されてから閾値以上の日数が経過している登録番組情報を全て選択する。例えば、視聴中の番組の属性が、「番組ジャンル」が「グルメ」、「番組名」が「×××」、「出演者名」が「ＸＸ  ＸＸ、○○  ○○」、「放送時期」が「８月」、であった場合、図２の例では、この番組の属性と共通の属性を有する「ＰＯＩ  ＩＤ」が「ＰＯＩ０００１」、「ＰＯＩ０００２」、「ＰＯＩ０００３」、及び「ＰＯＩ０００４」の登録番組情報のうち、ユーザの登録により番組情報ＤＢ７２に格納されてから閾値以上の日数が経過している登録番組情報が選択される。さらに、この例において、特定の属性において視聴中の番組と共通する登録番組情報を選択してもよい。例えば視聴中の番組の「番組ジャンル」である「グルメ」と共通する「ＰＯＩジャンル」を有する登録番組情報を選択する場合、「ＰＯＩ  ＩＤ」が「ＰＯＩ０００１」、「ＰＯＩ０００２」、及び「ＰＯＩ０００３」の登録番組情報が選択される。
【００４７】
図４に戻り、案内制御部６２は、ＳＢ５で選択した登録番組情報の案内をするための制御を行う（ＳＢ６）。案内制御部６２による制御の具体的な内容は任意で、例えば、ＳＢ５で選択された登録番組情報が１つの場合にはその登録番組情報に含まれる「ＰＯＩ名称」や「放送時期」等をディスプレイ５０に表示させる。また、ＳＢ５で選択された登録番組情報が複数の場合には、視聴中の番組の属性と共通する属性が多い登録番組情報から順に、それらの登録番組情報に含まれる「ＰＯＩ名称」や「放送時期」等をディスプレイ５０にリスト表示させる。併せて、視聴中の番組と共通の属性を有する登録番組情報が番組情報ＤＢ７２に格納されている旨の案内をスピーカ４０から音声出力させてもよい。
【００４８】
また、ＳＢ５で選択した登録番組情報の中から、特定の属性において視聴中の番組と共通する登録番組情報を抽出して、ディスプレイ５０に表示させてもよい。図５は、視聴中の番組の「番組ジャンル」と共通の「ＰＯＩジャンル」を有する登録番組情報が案内されたディスプレイ５０を例示した図である。図５に示すように、案内制御部６２は、視聴中の番組の「番組ジャンル」である「グルメ」と共通する「ＰＯＩジャンル」を有する登録番組情報に含まれる「ＰＯＩ名称」や「放送時期」等をディスプレイ５０にリスト表示させると共に、「本番組と同一ジャンル（グルメ）の地デジＰＯＩが登録されています。こちらも訪れてみてはいかがでしょう。」との案内を表示させることで、ユーザに、自分が過去に登録した登録番組情報の存在を思い出させることが可能となる。なお、地デジＰＯＩとは、地上デジタル放送から取得されたＰＯＩの略称であるが、その他の任意の表現に置き換えてもよい。
【００４９】
同様に、視聴中の番組の「番組名」と共通の「番組名」を有する登録番組情報、視聴中の番組の「放送時期」と共通の「放送時期」を有する登録番組情報、あるいは視聴中の番組の「出演者名」と共通の「出演者名」を有する登録番組情報を抽出して、ディスプレイ５０に表示させてもよく、この場合には、ユーザに、自分が過去に登録した登録番組情報の存在をより直観的に思い出させることが可能となる。また、操作部１０を介してユーザに指定された属性において視聴中の番組と共通する登録番組情報を抽出するようにしてもよい。
【００５０】
図４に戻り、ＳＢ６で登録番組情報の案内をするための制御を行った後、案内した登録番組情報に含まれるＰＯＩに関する操作（以下、ＰＯＩ操作）が指示されたか否かを判定する（ＳＢ７）。例えば、所定の複数のＰＯＩ操作の中から、所望のＰＯＩ操作をユーザに選択させるためのＰＯＩ操作メニューをディスプレイ５０に表示する。このＰＯＩ操作の具体的な内容や方法は任意であるが、例えば、番組情報案内装置１をカーナビゲーション装置に適用した場合には、案内した登録番組情報に含まれるＰＯＩを目的地に設定する目的地設定操作、ＰＯＩの周辺の地図表示操作、ＰＯＩの詳細情報表示操作、あるいは、ＰＯＩの編集や削除を行う編集削除操作を挙げることができる。そして、このようにディスプレイ５０に表示したＰＯＩ操作メニューの中で、いずれかのＰＯＩ操作がユーザによって操作部１０を介して選択された場合には、ＰＯＩ操作が指示されたものと判定する。
【００５１】
その結果、ＰＯＩ操作の指示がされていないと判定した場合（ＳＢ７、Ｎｏ）、ＳＢ６で案内した登録番組情報についてさらに案内を行う必要はないものとし、案内制御部６２は案内制御処理を終了する。
【００５２】
一方、ＰＯＩ操作の指示がされたと判定した場合（ＳＢ７、Ｙｅｓ）、案内制御部６２は指示されたＰＯＩ操作に応じた処理を行い（ＳＢ８）、案内制御処理を終了する。例えば、ＰＯＩ操作として目的地設定操作が指示された場合には、公知の経路探索手段（図示省略）により、ＰＯＩを目的地に設定した走行経路が探索され、その走行経路が案内される。
【００５３】
（効果）
このように実施の形態によれば、視聴中の番組について番組情報取得部６１によって取得された番組情報に基づき、番組情報ＤＢ７２に格納されている登録番組情報を選択し、当該選択した登録番組情報を案内するための制御を行うので、視聴中の番組と関連性の高い登録番組情報を案内することができる。このことにより、番組で紹介された場所に関する情報を登録したユーザに対して、自分が過去に登録した情報の存在を思い出させることができる。
【００５４】
特に、特定した視聴中の番組の属性と登録番組情報の属性とに基づき、番組情報ＤＢ７２に格納されている登録番組情報を選択するので、視聴中の番組と関連性の高い登録番組情報を確実に選択することができ、ユーザにとって有用な情報を案内することができる。
【００５５】
また、番組の属性及び登録番組情報の属性は、番組のジャンル、番組名、番組の出演者名、番組の放送時期、又は番組に含まれる場所のジャンル、の少なくともいずれか１つであるので、視聴中の番組と特に関連性が高くユーザにとって有用な登録番組情報を確実に選択し、案内することができる。
【００５６】
また、番組情報ＤＢ７２に格納されてから閾値以上の日数が経過している登録番組情報のみを対象として選択するので、ユーザが視聴してからの経過日数が少なく、ユーザ自身が覚えている登録番組情報については案内の対象から除外することができる。従って、ユーザにとって煩雑ではないタイミングで登録番組情報を案内することができる。
【００５７】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００５９】
（案内制御処理について）
上述の実施の形態では、番組情報取得部６１は番組受信部２０によって受信された番組の番組付随情報を取得し、その取得された番組付随情報に基づいて視聴中の番組の属性を特定すると説明したが、番組本体情報に含まれる映像情報を対象とする画像解析、番組本体情報に含まれる音声情報を対象とする音声解析、番組付随情報を対象とする文字認識や言語解析等により、番組の属性を特定してもよい。
【００６０】
また、図４の処理のＳＢ３において、共通性の判定の対象となる番組の属性と登録番組情報の属性との組み合わせとしては、番組の「番組ジャンル」と登録番組情報に対応する番組の「番組ジャンル」、番組の「ＰＯＩジャンル」と登録番組情報の「ＰＯＩジャンル」、番組の「ＰＯＩジャンル」と登録番組情報に対応する番組の「番組ジャンル」等を用いてもよい。
【００６１】
また、上述の実施の形態では、登録番組情報に含まれる「ＰＯＩ名称」や「放送時期」等をディスプレイ５０に表示させると説明したが、操作部１０を介してユーザから登録番組情報の案内を行う旨の指示があった場合に、これらの情報をディスプレイ５０に表示させるようにしてもよい。例えば、図４のＳＢ５で登録番組情報を選択した場合、視聴中の番組と共通の属性を有する登録番組情報が番組情報ＤＢ７２に格納されている旨を示すボタンをディスプレイ５０に表示させ、このボタンが押圧された場合に登録番組情報をディスプレイ５０に表示させるようにしてもよい。
【符号の説明】
【００６２】
１  番組情報案内装置
１０  操作部
２０  番組受信部
３０  通信部
４０  スピーカ
５０  ディスプレイ
６０  制御部
６１  番組情報取得部
６２  案内制御部
７０  データ記録部
７１  地図情報ＤＢ
７２  番組情報ＤＢ
【図１】
2011199663.tif 000003
【図２】
2011199663.tif 000004
【図３】
2011199663.tif 000005
【図４】
2011199663.tif 000006
【図５】
2011199663.tif 000007